(57)【要約】【課題】  ユーザの意図に沿った柔軟な画像処理を行うことができる画像処理装置及びその制御方法、並びに画像処理システムを提供する。【解決手段】  原稿画像を読み取り画像データの縮小画像をユーザに表示する。ユーザが、画像データを領域に区分し各領域の画像処理方法の設定を行うための、ユーザインタフェースを提供する。そして、ユーザにより設定された画像処理方法に基づいて画像処理に要するコストを算出し、そのコストをユーザに通知する。画像処理装置は、ユーザにより設定された画像処理方法に従って印刷処理を実行する。ユーザは画像処理に要するコストを確認しながら画像処理方法を選択することが可能である。【選択図】  図１１
2006060595.tif 000002
【特許請求の範囲】
【請求項１】
画像を入力し印刷を行う画像処理装置であって、
入力した画像データの画像を表示する表示手段と、
表示された画像中の所望とする領域と、当該領域に対する画像処理方法を設定する設定手段と、
該設定手段で設定された領域と画像処理方法に基づいて画像処理に要するコストを算出し、報知する報知手段と、
印刷指示があった場合、前記設定された領域及び画像処理方法に従って、入力した画像データに対する印刷処理を実行する制御手段と
を備えることを特徴とする画像処理装置。
【請求項２】
前記設定手段は、カラー印刷する領域を設定し、
前記報知手段は、カラー印刷する領域の合計サイズに応じてコストを算出し、報知することを特徴とする請求項１に記載の画像処理装置。
【請求項３】
画像を入力し印刷を行う画像処理装置の制御方法であって、
入力した画像データの画像を所定の表示装置に表示する表示制御工程と、
表示された画像中の、ユーザによる所望の領域と、当該領域に対する画像処理方法を入力する入力工程と、
該入力工程で入力された領域と画像処理方法に基づいて画像処理に要するコストを算出し、報知する報知工程と、
印刷指示があった場合、前記入力された領域及び画像処理方法に従って、入力した画像データに対する印刷処理を実行する制御工程と
を備えることを画像処理装置の制御方法。
【請求項４】
画像形成装置と当該画像形成装置に印刷データを出力する情報処理装置で構成される画像処理システムであって、
前記情報処理装置は、
上位処理より受信した出力対象となる画像データの画像を表示する表示手段と、
表示された画像中の所望とする領域と、当該領域に対する画像処理方法を設定する設定手段と、
設定された領域と画像処理方法に基づいて画像処理に要するコストを算出し、報知する報知手段と、
印刷指示があった場合、前記入力された領域及び画像処理方法に従って、入力した画像データに対する印刷処理を実行し、前記画像形成装置に出力する出力手段と
を備えることを特徴とする画像処理システム。
【発明の詳細な説明】
【技術分野】
【０００１】
本発明は、原稿を入力し印刷する技術に関する。
【背景技術】
【０００２】
従来より、原稿を読み取り印刷する複写機、或いは、スキャナ、情報処理装置及びプリンタで構成されるシステムにおいて、原稿画像の有彩色／無彩色を判定する技術が知られている（特許文献１）。判定結果が無彩色である場合には、黒インクや黒トナーのみの記録剤を用いて印刷することでランニングコストを低減させることが可能になる。
【特許文献１】特開平１０−３１９８０１号公報
【発明の開示】
【発明が解決しようとする課題】
【０００３】
しかしながら、上記の従来技術においては、原稿画像の有彩色／無彩色の判定は原稿全体に対して自動的に行われていた。例えば、原稿画像の或るページについて、一部がカラー写真画像で、残りの部分が単色のテキスト文章で構成されているような場合、そのページ画像は有彩色として判定されていた。このため、その原稿全体をＹ，Ｍ，Ｃ，Ｋの各記録色成分を用いて印刷することになり、ランニングコスト（１ページの課金額）が高くならざるを得なかった。また、単色のテキスト文章で構成されている部分もＹ，Ｍ，Ｃ，Ｋの各記録色成分を用いて印刷されるため、輪郭がぼやけてしまっていた。
【０００４】
本発明は上記問題を鑑みてなされたものであり、従来のようにページ内に有彩色画像があるか否かではなく、ユーザから指示された領域についてカラー画像、モノクロ画像の印刷処理を使い分けることで、柔軟な画像処理を行うことができる技術を提供しようとするものである。
【課題を解決するための手段】
【０００５】
上記目的を達成するため、例えば本発明による画像処理装置は以下の構成を備える。即ち、
画像を入力し印刷を行う画像処理装置であって、
入力した画像データの画像を表示する表示手段と、
表示された画像中の所望とする領域と、当該領域に対する画像処理方法を設定する設定手段と、
該設定手段で設定された領域と画像処理方法に基づいて画像処理に要するコストを算出し、報知する報知手段と、
印刷指示があった場合、前記設定された領域及び画像処理方法に従って、入力した画像データに対する印刷処理を実行する制御手段と
を備える。
【発明の効果】
【０００６】
本発明によれば、ユーザの意図に沿った柔軟な画像処理を行うことができる画像処理装置及びその制御方法、並びに画像処理システムを提供できる。
【発明を実施するための最良の形態】
【０００７】
以下、添付図面に従って本発明に係る実施の形態を詳細に説明する。ただし、この実施の形態に記載されている構成要素はあくまでも例示であり、この発明の範囲をそれらのみに限定する趣旨のものではない。
【０００８】
［第１実施形態］
図１は、第１実施形態における画像処理装置（複合機）１０００の外観を示す図である。画像処理装置１０００は、文書をカラー情報を含む画像データに変換するスキャナ部２０００と、該画像データを記録媒体（記録紙、ＯＨＰシート等）に印刷する印刷部３０００と、ユーザが画像処理装置１０００を操作するためのユーザインタフェースを提供するパネル部４０００と、画像処理装置１０００の各構成要素を制御する装置制御部５０００から構成される。
【０００９】
図２は、本第１実施形態における画像処理装置１０００の構成を示すブロック図である。図２において、スキャナ部２０００と、印刷部３０００、パネル部４０００、装置制御部５０００は外部バス６０００を介して接続されている。更に、画像処理装置で用いられるソフトウェアや一時的なデータの保存に使用されるハードディスク（以下、ＨＤＤと略記する）１１００と、ネットワークに接続するためのインタフェースであるネットワークインタフェース１２００（イーサネット（登録商標）カード等）が外部バスに接続されている。尚、ネットワークＩ／Ｆを設ける理由は、ネットワーク上の情報処理装置（ＰＣ）からの印刷データを受信し印刷するため、及び、実施形態における画像処理装置１０００がネットワークスキャナとしても機能するためである。ただし、外部の情報処理装置と通信できればよいので、ＲＳ２３２Ｃインタフェースに準じた通信ケーブルや、無線通信を利用するようにしてもよい。
【００１０】
また、画像処理装置１０００内には各構成要素に電力を供給する電源部１３００が存在する。本第１実施形態において、装置制御部５０００と電源部１３００は電源制御線１３０１を介して接続されており、装置制御部５０００は電源部１３００の電力供給を制御することが可能である。
【００１１】
図３は、本第１実施形態におけるスキャナ部２０００の構成を示す図である。スキャナ部２０００（ＡＤＦを搭載している）は、外部バス６０００（制御部５０００）とのインタフェースであるインタフェース２００３と、文書を読み取りカラー情報を含む画像データを作成するスキャナエンジン部２００２、インタフェース２００３及びスキャナエンジン部２００２を制御するスキャナ制御部２００１から構成される。ここで、スキャナ制御部２００１、スキャナエンジン部２００２及びインタフェース２００３は、内部バス２００４を介して接続されている。
【００１２】
図４は、本第１実施形態における印刷部３０００の構成を示す図である。印刷部３０００は、外部バス６０００（制御部５０００）とのインタフェースであるインタフェース３００３と、画像データを記録媒体に印刷する印刷エンジン部３００２、インタフェース３００３及び印刷エンジン部３００２を制御する印刷制御部３００１から構成される。ここで、印刷制御部３００１、印刷エンジン部３００２及びインタフェース３００３は、内部バス３００４を介して接続されている。
【００１３】
図５は、本第１実施形態におけるパネル部４０００の構成を示す図である。パネル部４０００は、外部バス６０００（制御部５０００）とのインタフェースであるインタフェース４００３と、画像処理装置１０００の操作メニューを表示するための液晶表示機を含む表示制御部４００１、及び、表示画面の前面に設けられたタッチパネルの座標位置を検出するパネル制御部４００２から構成される。また、パネル制御部４００２、表示制御部４００１及びインタフェース４００３は、内部バス４００４を介して接続されている。
【００１４】
本第１実施形態において、ユーザは所定の入力ペンで表示制御部４００１の表示画面を指定することで、画像処理装置１０００を操作する。
【００１５】
図６は、本第１実施形態における装置制御部５０００の構成を示す図である。装置制御部５０００は、画像処理装置１０００の制御において中心的役割を担うＣＰＵ５００１と、スキャナ部２０００より読み取った画像データに対して適切な画像処理を行う画像処理部５００２、ＣＰＵ５００１で実行されるソフトウェアが記録されたＲＯＭ５００３、画像処理等の内部処理でデータを一時的に保持するために使用されるＲＡＭ５００４、外部バス６０００とのインタフェースであるインタフェース５００５から構成される。ＣＰＵ５００１、画像処理部５００２、ＲＯＭ５００３、ＲＡＭ５００４及びインタフェース５００５は、内部バス５００６を介して接続されている。
【００１６】
次に、本第１実施形態における基本的な処理手順について図７を用いて説明する。図７は、本発明の第１実施形態における画像処理装置１０００（詳しくはＣＰＵ５０１）の基本処理手順（ＲＯＭ５００３に格納されたプログラムの一部）を示すフローチャートである。
【００１７】
画像処理装置１０００は、初期状態においてパネル部４０００よりサービス指示を受けるまで待機する（ステップＳ１０１でＮｏ）。サービス指示を受信すると（ステップＳ１０１でＹｅｓ）、スキャナ部２０００において文書をスキャンしカラー画像データとして読み込み、一時的にＨＤＤ１１００に格納する（ステップＳ１０２）。尚、読み取る原稿画像は１ページとは限らず、複数ページ存在し得るので、各ページの画像を蓄積することになる。格納するファイル名は一時的なものであり、例えば、０００１．ＢＭＰ，０００２．ＢＭＰ・・・のようにユニークで、シーケンス番号を付けた画像ファイルとして格納する。尚、格納するカラー画像データは、スキャナ部において文書をスキャンして得られるものに限らない。例えば、カラー画像データは、外部装置より画像データを受信して得られるものや、記録媒体から画像データを読み出すことにより得られるものであってもよい。
【００１８】
カラー画像データの取り込みが完了する（１ページとは限らない）と、パネル部４０００の表示制御部４００１においてスキャンした文書（初期状態では先頭ページ）の縮小画像を生成し、それをパネル部４０００に出力して表示する。尚、縮小画像を生成せずに、スキャンした文書の画像をパネル部４００に出力して表示してもよい。そして、ユーザに対してページ毎にその所望とするエリア単位での画像処理方法を選択させる（ステップＳ１０３）。尚、エリアの指定がない場合にはページ全体に対する画像処理方法の設定であるものとして受け付ける。また、ここでの設定は各ページごとに設定可能であるので、ページとその処理内容を記述した印刷設定ファイルを作成し、ＨＤＤ１１００に一時的に格納する。
【００１９】
ユーザが画像処理方法の選択を終了すると、画像処理装置１０００はユーザに画像処理方法の選択内容を確認させる（ステップＳ１０４）。
【００２０】
画像処理方法の選択内容にユーザが同意し、不図示のＯＫキーの入力があった場合（ステップＳ１０４でＹｅｓ）、画像処理装置１０００はＨＤＤ１１００に格納された印刷設定ファイルに従って、各ページの画像ファイルを読み込み、設定された画像処理を開始する（ステップＳ１０５）。ユーザが同意しなかった場合（ステップＳ１０４でＮｏ）、ステップＳ１０３に戻り、再度ユーザに対してページあるいはエリア単位で画像処理方法を選択させる。
【００２１】
画像処理装置はステップＳ１０５において画像処理を完了すると、処理を終了する。
【００２２】
次に、本第１実施形態における先に説明したステップＳ１０３の処理、すなわち、パネル部４０００の表示制御部４００１、及び、表示制御部４００１の操作について、図８、図９を用いて説明する。
【００２３】
図８は、本第１実施形態における表示制御部４００１の表示画面を示す図である（タッチパネルによる入力領域でもある）。
【００２４】
表示制御部４００１には、文書の縮小画像が表示される文書ページ４０１３が存在する。
【００２５】
そして、表示する文書のページを切り替えるための「前へ」ボタン部４００２、「次へ」ボタン部４００３が表示される。さらに、原稿画像の拡大、縮小表示を行うための「拡大」ボタン部４００４、「縮小」ボタン部４００５が表示される。「前へ」ボタン部４００２は表示されている文書ページ４０１３の前のページを表示させる指示を装置制御部５０００へ出し、「次へ」ボタン部４００３は表示されている文書ページ４０１３の次のページを表示させる指示を出す。「拡大」ボタン部４００４は表示されている文書ページ４０１３を例えば押下するたびに１０％ずつ拡大して表示させる指示ボタンであり、「縮小」ボタン部４００５は例えば１０％ずつ縮小させて表示させるボタンである。
【００２６】
また、表示されている文書ページ４０１３のエリアを選択する指示を行う「エリア選択」ボタン部４００６と、表示されている文書ページ４０１３をカラーで処理する指示を行う「選択カラー」ボタン部４００７と、表示されている文書ページ４０１３を白黒で処理する指示を行う「選択白黒」ボタン部４００８と、文書の全ページをカラーで処理する指示を行う「全カラー」ボタン部４００９と、文書の全ページを白黒で処理する指示を行う「全白黒」ボタン部４０１０が存在する。
【００２７】
更に、現在の処理をキャンセルし前の状態に戻ることを可能とする「キャンセル」ボタン部４０１１と、画像処理装置１０００に対して、選択された画像処理の内容に基づいた文書の画像処理を開始させる「開始」ボタン部４０１２が存在する。
【００２８】
ユーザはこれらのボタンを操作して文書上のエリアを選択し、各エリア毎の画像処理方法を選択する。
【００２９】
文書上のエリアを選択する場合、ユーザは「前へ」ボタン部４００２、「次へ」ボタン部４００３を操作してエリア選択を行うページを表示し、「拡大」ボタン部４００４、「縮小」ボタン部４００５を操作してエリア選択を行う部分を拡大表示する。そして、ユーザは「エリア選択」ボタン４００６を押下し、文書ページ４０１３が表示されている画面上にて２点を選択する（この時、拡大表示している場合にはその指示位置の精度が増すことになる）。すると、本実施形態において、本画像処理装置１０００はユーザの選択した２点を対角線の両端とする矩形領域４０１４をエリアとして抽出する。ユーザは抽出されたエリアに対して、「選択カラー」ボタン部４００７あるいは「選択白黒」ボタン部４００８を押下する。「選択カラー」ボタン部４００７が押下された場合は、ユーザの選択したエリアがカラーで処理されることになり、「選択白黒」ボタン部４００８が押下された場合は、ユーザの選択したエリアが白黒で処理されることになる。
【００３０】
エリア選択の操作について図９を用いて説明する。図９は、本発明の第１実施形態におけるエリア選択操作を示す図である。
【００３１】
ユーザは、文書ページ４０１３が表示されているパネル部４０００上において、パネル部４０００を押下することで始点４０１５及び終点４０１６を選択する。画像処理装置１０００は、文書ページ４０１３上にて選択された始点４０１５及び終点４０１６から、それらを対角線の両端とする矩形領域４０１４をエリアとして抽出する。
【００３２】
次に、エリア選択操作における画像処理装置１０００の処理について図１０を用いて説明する。図１０は本発明の第１実施形態におけるエリア選択操作時の画像処理装置１０００の処理手順を示すフローチャートであり、ユーザが「エリア選択」ボタン部４００６を押下した後に行われる処理を示している。
【００３３】
ユーザが「エリア選択」ボタン部４００６を押下すると、画像処理装置１０００はユーザの始点座標入力待ちの状態（ステップＳ２０１）になる。
【００３４】
この状態において、ユーザが「キャンセル」ボタン部４０１１を押下すると（ステップＳ２０２でＹｅｓ）、エリア選択操作はキャンセルされ処理は終了する。
【００３５】
ユーザが「キャンセル」ボタン部４０１１ではなく（ステップＳ２０２でＮｏ）、文書ページ４０１３内を押下した場合（ステップＳ２０３でＹｅｓ）、画像処理装置１０００はユーザの押下した点の座標を始点座標として記憶し、ユーザの終点座標入力待ちの状態（ステップＳ２０４）へ遷移する。また、始点座標入力待ちの状態（ステップＳ２０１）において、ユーザが「キャンセル」ボタン部４０１１ではなく（ステップＳ２０２でＮｏ）、且つ、文書ページ４０１３の外の場所を押下した場合（ステップＳ２０３でＮｏ）、再び始点座標入力待ちの状態（ステップＳ２０１）へ戻る。
【００３６】
終点座標入力待ちの状態（ステップＳ２０４）において、ユーザが「キャンセル」ボタン部４０１１を押下すると（ステップＳ２０５でＹｅｓ）、エリア選択操作はキャンセルされ処理は終了する。
【００３７】
ユーザが「キャンセル」ボタン部４０１１ではなく（ステップＳ２０５でＮｏ）、文書ページ４０１３内を押下した場合（ステップＳ２０６でＹｅｓ）、画像処理装置１０００はユーザの押下した点の座標を終点座標として記憶し、ステップＳ２０７へ進む。また、終点座標入力待ちの状態（ステップＳ２０４）において、ユーザが「キャンセル」ボタン部４０１１ではなく（ステップＳ２０５でＮｏ）、且つ、文書ページ４０１３の外の場所を押下した場合（ステップＳ２０６でＮｏ）、再び終点座標入力待ちの状態（ステップＳ２０４）へ戻る。
【００３８】
ステップＳ２０７において、画像処理装置１０００はユーザの選択した始点、終点の座標より矩形領域を算出（ステップＳ２０７）し、エリア選択操作を終了する。
【００３９】
画像処理装置１０００が矩形領域を算出した後（ステップ２０７）、ユーザは「選択カラー」ボタン部４００７、又は、「選択白黒」ボタン部４００８を操作することにより、矩形領域の画像処理方法を設定する。画像処理装置１０００はユーザの指定した画像処理方法の内容を、ページ数、矩形領域の座標、画像処理方法等を記述した印刷設定ファイルに追加する。
【００４０】
ユーザは上記手順を終えた後、さらに「前へ」ボタン部４００２、「次へ」ボタン部４００３、「拡大」ボタン部４００４、「縮小」ボタン部４００５、「エリア選択」ボタン部４００６を操作し、更に別の領域においてエリア選択と画像処理方法の設定を継続して行うことができる。画像処理方法の設定終了後、「開始」ボタン部４０１２を押下すると、画像処理装置１０００はユーザに画像処理方法の選択内容を確認させる。画像処理方法の選択内容にユーザが同意し、不図示のＯＫキーの入力があった場合、画像処理装置１０００は印刷設定ファイルに従って、設定された画像処理を開始する。
【００４１】
画像処理装置は、各ページの画像ファイルについて、カラー指定の部分は各ピクセルのＲ，Ｇ，Ｂ成分をＹ，Ｍ，Ｃ，Ｋの記録色成分に変換して、画像処理を行う。白黒指定の部分は各ピクセルの輝度成分から白黒の濃淡を求め、Ｋ成分のみを用いて画像処理を行う。
【００４２】
このように、カラー情報を持つ文書ページ４０１３について、文書全体をカラーで画像処理するのではなく、カラーの画像処理が不要な個所は白黒の画像処理を行うことにより、画像処理のランニングコストを低減化することができる。また、画像処理装置１０００での処理時間を従来よりも短縮することができる。また、白黒の画像処理が行われた個所は、Ｙ，Ｍ，Ｃ，Ｋの各記録色成分を用いて画像処理が行われた場合よりも、くっきりしたエッジを得ることができる。
【００４３】
本第１実施形態においては、ランニングコスト低減化に着目し、画像データと設定された画像処理方法の種類とに基づいてユーザの負担する画像処理の料金を変更する。そして、画像処理装置１０００はパネル部４０００にユーザの負担料金を表示し、ユーザがエリア毎の画像処理方法を選択する度に料金表示をアップデートする。このような仕組みにより、ユーザは画像処理の料金を確認しながら、用途に応じてページあるいはエリア単位での画像処理方法を選択することができる。
【００４４】
本第１実施形態においては、画像処理の料金は、カラーの画像処理を行う画像データの面積、及び、白黒の画像処理を行う画像データの面積によって決定される。このような対応関係は、画像処理装置１０００のＲＯＭ５００３に料金テーブルとして保存されている。
【００４５】
図１１に本発明の第１実施形態における料金算出の処理手順のフローチャートを示す。ステップＳ３０３〜ステップＳ３０６は図７のステップＳ１０３における処理に含まれる。
【００４６】
ユーザはスキャナ部２０００において文書を電子化する（ステップＳ３０１）。この時、画像処理装置１０００は電子化された文書のデータ量を保存する（ステップＳ３０２）。また、全ての画像データに対して白黒の画像処理を行った場合の料金を、料金テーブルに基づいて算出し、パネル４０００上に表示する。
【００４７】
次に、ユーザはページあるいはエリア単位での画像処理方法を選択（ステップＳ３０３）する。画像処理装置１０００はユーザに選択された画像処理方法に基づいて、画像処理を行う画像データのデータ量を算出する（ステップＳ３０４）。また、画像処理装置１０００は料金テーブルに基づいて、算出された文書のデータ量から画像処理の料金を算出し（ステップＳ３０５）、パネル部４０００の料金表示をアップデートする（ステップＳ３０６）。
【００４８】
以上のような仕組みにより、ユーザは画像処理方法と料金との対応関係をリアルタイムに確認することができる。
【００４９】
尚、本実施形態では、画像処理の領域の単位が矩形領域によって定義されていたが、これに限られるものではない。即ち、楕円形、多角形、任意の閉じた曲線、又は、これらの組み合わせ等によって画像処理の単位が定義された場合にも、本発明を適用することができる。
【００５０】
また、本実施形態においては、ユーザが選択できる画像処理の種類としてカラーまたは白黒を選択する場合について述べたが、これに限られるものではない。即ち、所定の色を用いた単色の画像処理や、所定の解像度の画像処理等を選択可能とする実施形態においても、本発明を適用することができる。
【００５１】
［第２実施形態］
第１実施形態では、電子化された文書データの画像処理方法の選択等と画像処理を画像処理装置において行っていたが、文書データの画像処理方法の選択等を別の装置において行うことも可能である。第２実施形態では、画像処理装置にネットワークを介して接続された情報処理装置（以下、クライアント装置と呼ぶ）において文書データの画像処理方法の選択等を行う構成について述べる。
【００５２】
図１２は、本発明の第２実施形態に係る画像処理システムの構成の概略を示す図である。
【００５３】
画像処理装置１０００はネットワーク１００２を介してユーザの使用するクライアント装置１００１に接続されている。
【００５４】
本第２実施形態では、ページあるいはエリア単位での画像処理方法選定等の処理はプリンタドライバの一機能としてユーザに提供され、画像処理方法選定等の処理は全てユーザの使用するクライアント装置１００１上において実施される。
【００５５】
クライアント装置１０００上において、プリンタドライバは、ワードプロセッサ、描画ソフト等のアプリケーション・ソフトウェアから画像処理装置の出力対象となる文書の画像データを受け取る。そして、ユーザが該画像データに対して画像処理方法選定等の処理を行うことのできるユーザインタフェースを提供する。これは、例えば第１実施形態における画像処理装置１０００の表示制御部４００１と同等の機能を有する。
【００５６】
プリンタドライバは、ユーザによる画像処理方法選定等の処理が終了すると、画像データと印刷設定ファイルから構成される印刷データを生成し、印刷データを画像処理装置１０００へ送信する。
【００５７】
画像処理装置１０００は、クライアント装置１００１上で作成された印刷データを受信し、印刷データに含まれる画像データ及び印刷設定ファイルに基づいて画像処理を行う。ここで、画像処理装置１０００はユーザの許可した画像データのみをネットワーク１００２を介して受信し、画像処理することになる。
【００５８】
以上の処理により、画像処理装置１０００は、画像処理装置１０００上で作成された画像データのみならず、画像処理装置１０００の外で作成・編集された画像データについても、エリア毎に画像処理方法を変化させた画像処理を行うことが可能である。これにより、ユーザの使用目的に応じて柔軟な画像処理を行うことができる。
【００５９】
［他の実施形態］
尚、第１実施形態及び第２実施形態は一例であり、用途や目的に応じて、第１実施形態及び第２実施形態の構成を組み合わせた実施形態を実現してもよい。
【図面の簡単な説明】
【００６０】
【図１】第１実施形態で用いる画像処理装置の外観構成を示す図である。
【図２】第１実施形態で用いる画像処理装置の機能構成を示す図である。
【図３】第１実施形態で用いる画像処理装置のスキャナ部の機能構成を示す図である。
【図４】第１実施形態で用いる画像処理装置の印刷部の機能構成を示す図である。
【図５】第１実施形態で用いる画像処理装置のパネル部の機能構成を示す図である。
【図６】第１実施形態で用いる画像処理装置の装置制御部の機能構成を示す図である。
【図７】第１実施形態で用いる画像処理装置の基本処理手順を示すフローチャートである。
【図８】第１実施形態で用いる画像処理装置の表示制御部の構成例を示す図である。
【図９】第１実施形態で用いるエリア選択操作を示す図である。
【図１０】第１実施形態で用いる画像処理装置のエリア選択操作時の処理手順を示すフローチャートである。
【図１１】第１実施形態で用いる料金算出の処理手順を示すフローチャートである。
【図１２】第２実施形態で用いるシステムの基本構成を示す図である。
【図１】
2006060595.tif 000003
【図２】
2006060595.tif 000004
【図３】
2006060595.tif 000005
【図４】
2006060595.tif 000006
【図５】
2006060595.tif 000007
【図６】
2006060595.tif 000008
【図７】
2006060595.tif 000009
【図８】
2006060595.tif 000010
【図９】
2006060595.tif 000011
【図１０】
2006060595.tif 000012
【図１１】
2006060595.tif 000013
【図１２】
2006060595.tif 000014